【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
基端側を部分糊付けした多数枚の付箋紙から成りセットされた付箋紙束の、最上位の先端側を捲り上げた付箋紙を糊付け部から引き剥がして供給する付箋紙供給装置において、
前記付箋紙束をセットする付箋紙ホルダと、
前記付箋紙ホルダに臨み、捲り上げた前記付箋紙を先端側から引き剥がす引剥し機構と、
捲り上げた前記付箋紙の下側に潜入して前記付箋紙束を押える束押え機構と、
駆動源からの動力を前記引剥し機構および前記束押え機構にそれぞれ伝達し、当該引剥し機構および当該束押え機構を連動させる動力伝達機構と、を備えたことを特徴とする付箋紙供給装置。
【請求項２】
前記束押え機構は、前記付箋紙束を幅方向に亘って押えることを特徴とする請求項１に記載の付箋紙供給装置。
【請求項３】
前記束押え機構は、前記付箋紙束の基端側を押えることを特徴とする請求項１または２に記載の付箋紙供給装置。
【請求項４】
前記束押え機構は、前記付箋紙束に接触してこれを押える押え部と、基端側を中心に回動自在に構成され、先端側に支持した前記押え部を前記付箋紙束を押える押圧位置と離間したホーム位置との間で移動させる回動アームとを有し、
前記回動アームは、前記動力伝達機構から動力を入力して回動することを特徴とする請求項１ないし３のいずれかに記載の付箋紙供給装置。
【請求項５】
前記押え部のホーム位置は、前記付箋紙束の先端から外側に外れた位置に設定されていることを特徴とする請求項４に記載の付箋紙供給装置。
【請求項６】
前記押え部は、前記回動アームに支持された押え本体と、
前記押え本体に揺動自在に支持されると共に、前記付箋紙束を押さえ込む押え込み動作において、前記回動アームの略接線方向に沿う傾斜姿勢から前記付箋紙束に対し平行な水平姿勢となるように揺動範囲が規制された押え補助部材と、を有していることを特徴とする請求項４または５に記載の付箋紙供給装置。
【請求項７】
セットされた前記付箋紙束の前記糊付け部を前記付箋紙の引き剥がしに抗するように上側から押えると共に、当該付箋紙の引き剥がしに伴う当該付箋紙束の先端側へのスライドを許容する押圧部材を更に備え、
前記押え部は、ローラで構成されていることを特徴とする請求項４または５に記載の付箋紙供給装置。
【請求項８】
セットされた前記付箋紙束の前記糊付け部を前記付箋紙の引き剥がしに抗するように上側から押えると共に、当該付箋紙の引き剥がしに伴う当該付箋紙束の先端側へのスライドを許容する押圧部材を更に備え、
前記押え部は、前記回動アームに支持された押え本体と、
前記押え本体に揺動自在に支持された揺動アーム、および前記揺動アームに取り付けたローラから成る押え補助部材とで構成され、
前記押え補助部材は、前記付箋紙束を押さえ込む押え込み動作において、前記回動アームの略接線方向に沿う傾斜姿勢から前記付箋紙束に対し平行な水平姿勢となるように揺動範囲が規制されていることを特徴とする請求項４または５に記載の付箋紙供給装置。
【請求項９】
前記引剥し機構は、
前記付箋紙束に転接して前記付箋紙を一旦撓ませてからその上側に撥ね上げると共に、前記付箋紙束から離間し捲り上げた前記付箋紙を引き剥がすように送り出す摩擦ローラと、
先端部に前記摩擦ローラを回転自在に支持すると共に、基端部を中心に回動自在に構成されたピックアップアームとを有し、
前記ピックアップアームは、前記動力伝達機構から動力を入力して回動し、前記摩擦ローラを前記付箋紙束に対し離接移動させることを特徴とする請求項４ないし８のいずれかに記載の付箋紙供給装置。
【請求項１０】
前記ピックアップアームと前記回動アームとは、同方向に回動することを特徴とする請求項９に記載の付箋紙供給装置。
【請求項１１】
前記動力伝達機構は、前記駆動源から入力した動力により回転する回転円板と、
前記回転円板の一方の端面に形成した端面カム溝と、
前記回転円板の他方の端面に突設した偏心ピンとを有し、
前記端面カム溝は、前記回転円板の回転動作を前記回動アームおよび前記ピックアップアームの一方の回動動作に変換する端面カム機構を構成し、
前記偏心ピンは、前記回転円板の回転動作を前記回動アームおよび前記ピックアップアームの他方の回動動作に変換する反対カム機構を構成していることを特徴とする請求項９または１０に記載の付箋紙供給装置。
【請求項１２】
前記駆動源は、前記摩擦ローラを回転駆動させる動力源を兼ねており、
前記摩擦ローラは、前記回転円板の周面に形成したギヤを含むギヤ列を介して回転することを特徴とする請求項１１に記載の付箋紙供給装置。
【請求項１３】
基部側の糊付け部で部分糊付けした多数枚の付箋紙から成ると共に前記糊付け部を押えた状態で水平にセットされた付箋紙束に対し、最上位の前記付箋紙を斜め先上がりに捲り上げた後、斜め先方に引き出すように引き剥がして供給する付箋紙供給装置において、
前記付箋紙束を水平にセットする付箋紙ホルダと、
前記付箋紙の引き剥がしに抗するように前記糊付け部を上側から押える押圧部材とを備え、
前記押圧部材は、前記糊付け部の基端側を押える押圧部と、前記押圧部から先方に延び前記付箋紙の斜め先上がりを非押圧状態で許容する非押圧部とを有することを特徴とする付箋紙供給装置。
【請求項１４】
前記非押圧部の下面は、斜め先上がりに傾斜していることを特徴とする請求項１３に記載の付箋紙供給装置。
【請求項１５】
前記押圧部は、前記付箋紙の引き剥がしに伴う前記付箋紙束の前記非押圧部側へのスライドを許容することを特徴とする請求項１３または１４に記載の付箋紙供給装置。
【請求項１６】
基部側の糊付け部で部分糊付けした多数枚の付箋紙から成ると共に前記糊付け部を押えた状態で水平にセットされた付箋紙束に対し、最上位の前記付箋紙を斜め先上がりに捲り上げた後、斜め先方に引き出すように引き剥がして供給する付箋紙供給装置において、
前記付箋紙束を水平にセットする付箋紙ホルダと、
前記付箋紙の引き剥がしに抗するように前記糊付け部を上側から押える押圧部材とを備え、
前記押圧部材は、前記糊付け部の基端側を押える押圧部と、前記押圧部から先方に延び前記付箋紙の引き剥がしに伴って斜め先上がりに角度変化可能な引剥し許容部とを有することを特徴とする付箋紙供給装置。
【請求項１７】
前記押圧部は、前記付箋紙の引き剥がしに伴う前記付箋紙束の前記引剥し許容部へのスライドを許容することを特徴とする請求項１６に記載の付箋紙供給装置。
【請求項１８】
前記押圧部材と前記付箋紙ホルダとが、一体に形成されていることを特徴とする請求項１３ないし１７のいずれかに記載の付箋紙供給装置。
【請求項１９】
基部側の糊付け部で部分糊付けした多数枚の付箋紙から成ると共に前記糊付け部を押えた状態で水平にセットされた付箋紙束に対し、最上位の前記付箋紙を斜め先上がりに捲り上げた後、斜め先方に引き出すように引き剥がして供給する付箋紙供給装置において、
前記付箋紙束を水平にセットする付箋紙ホルダと、
前記付箋紙の引き剥がしに抗するように前記糊付け部を上側から押える押えローラと、を備えていることを特徴とする付箋紙供給装置。
【請求項２０】
請求項１ないし１９のいずれかに記載の付箋紙供給装置と、
付箋紙を印刷する印刷機構と、を備えたことを特徴とする付箋紙プリンタ。
【手続補正２】
【補正対象書類名】明細書
【補正対象項目名】０００５
【補正方法】変更
【補正の内容】
【０００５】
【課題を解決するための手段】
本発明の付箋紙供給装置は、基端側を部分糊付けした多数枚の付箋紙から成りセットされた付箋紙束の、最上位の先端側を捲り上げた付箋紙を糊付け部から引き剥がして供給する付箋紙供給装置において、付箋紙束をセットする付箋紙ホルダと、付箋紙ホルダに臨み、捲り上げた付箋紙を先端側から引き剥がす引剥し機構と、捲り上げた付箋紙の下側に潜入して付箋紙束を押える束押え機構と、駆動源からの動力を引剥し機構および束押え機構にそれぞれ伝達し、引剥し機構および束押え機構を連動させる動力伝達機構と、を備えたことを特徴とする。
【手続補正３】
【補正対象書類名】明細書
【補正対象項目名】０００６
【補正方法】変更
【補正の内容】
【０００６】
この構成によれば、束押え機構が、先端側を捲り上げた付箋紙の下側に干渉することなく潜り込み、セットした付箋紙束を押えた状態とする。これにより、付箋紙を先端側に引くように引き剥がしても、付箋紙束に撓みなどの変形が生じるのを好適に抑制することができるため、付箋紙束のセット状態を安定に維持することができると共に、付箋紙を一枚ずつ適切に引き剥がすことができる。
また、付箋紙の引き剥がし動作と、捲り上げた付箋紙の下側に潜入する付箋紙束の押え動作とが関連性をもつため、付箋紙の適切な引剥しを円滑且つ確実に行うことができる。また、動力伝達機構により、単一の駆動源でこれら両機構を動作させているため、部品点数を削減してコストダウンを図ることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】